(57)【要約】【課題】ＤＡＢ（Ｄｉｇｉｔａｌ　Ａｕｄｉｏ　Ｂｒｏａｄｃａｓｔｉｎｇ）のサービスのような、コンテンツデータの選択された構成単位に関連するインターネット上のサイトに、容易にアクセスできるようにする。【解決手段】ＤＡＢ受信機では、受信した全データ、または受信データを解析して得られた、選択されたアンサンブルに属するサービスのサービスＩＤを、ＰＣ（Ｐｅｒｓｏｎａｌ　Ｃｏｍｐｕｔｅｒ）に転送する。ＰＣのアプリケーションには、ＤＡＢのサービスのサービスＩＤと、そのサービスに関連するインターネット上のサイトのＵＲＬとの対応を示すテーブルを設ける。ＰＣでは、そのテーブルから、受信機で選択されたサービスに関連するサイトのＵＲＬを得て、ブラウザに転送し、サイトにアクセスする。【選択図】　　　　図８
2004048389.tif 000002
【特許請求の範囲】
【請求項１】
データ処理装置から転送されたデータに基づいて、コンテンツデータ構成単位を特定する識別コードと、当該構成単位に関連するネットワーク上の情報源のアドレスを示すアドレス情報との対応を示すテーブルを参照して、前記データ処理装置で選択された構成単位に対応するアドレス情報を取得する工程と、
その取得したアドレス情報によってネットワーク上の情報源にアクセスする工程と、
を備える情報処理方法。
【請求項２】
データ処理装置から転送されたデータに基づいて、上位構成単位のもとに複数の下位構成単位が属する階層構造のコンテンツデータにおける下位構成単位を特定する識別コードと、当該下位構成単位に関連するネットワーク上の情報源のアドレスを示すアドレス情報との対応を示すテーブルを参照して、前記データ処理装置で選択された下位構成単位に対応するアドレス情報を取得する工程と、
その取得したアドレス情報によってネットワーク上の情報源にアクセスする工程と、
を備える情報処理方法。
【請求項３】
データ処理装置から転送されたデータに基づいて、上位構成単位のもとに複数の下位構成単位が属する階層構造のコンテンツデータにおける下位構成単位を特定する識別コードと、当該下位構成単位に関連するネットワーク上の情報源のアドレスを示すアドレス情報との対応を示すテーブルを参照して、前記データ処理装置で選択された上位構成単位に属する、それぞれの下位構成単位に対応するアドレス情報を取得する工程と、
その取得したアドレス情報をディスプレイ上に表示する工程と、
その表示したアドレス情報から選択されたアドレス情報によってネットワーク上の情報源にアクセスする工程と、
を備える情報処理方法。
【請求項４】
請求項１〜３のいずれかの情報処理方法において、
前記データ処理装置から転送されるデータが、前記データ処理装置で受信または再生されたデータである情報処理方法。
【請求項５】
請求項１〜３のいずれかの情報処理方法において、
前記データ処理装置から転送されるデータが、前記データ処理装置で受信または再生されたデータを、前記データ処理装置で解析して得られた識別コードである情報処理方法。
【請求項６】
請求項１〜３のいずれかの情報処理方法において、
前記データ処理装置がデジタルラジオ受信機である情報処理方法。
【請求項７】
データ処理装置から転送されたデータを受信する手段と、
その受信されたデータに基づいて、コンテンツデータ構成単位を特定する識別コードと、当該構成単位に関連するネットワーク上の情報源のアドレスを示すアドレス情報との対応を示すテーブルを参照して、前記データ処理装置で選択された構成単位に対応するアドレス情報を取得する手段と、
その取得されたアドレス情報によってネットワーク上の情報源にアクセスする手段と、
を備える情報処理装置。
【請求項８】
データ処理装置から転送されたデータを受信する手段と、
その受信されたデータに基づいて、上位構成単位のもとに複数の下位構成単位が属する階層構造のコンテンツデータにおける下位構成単位を特定する識別コードと、当該下位構成単位に関連するネットワーク上の情報源のアドレスを示すアドレス情報との対応を示すテーブルを参照して、前記データ処理装置で選択された下位構成単位に対応するアドレス情報を取得する手段と、
その取得されたアドレス情報によってネットワーク上の情報源にアクセスする手段と、
を備える情報処理装置。
【請求項９】
データ処理装置から転送されたデータを受信する手段と、
その受信されたデータに基づいて、上位構成単位のもとに複数の下位構成単位が属する階層構造のコンテンツデータにおける下位構成単位を特定する識別コードと、当該下位構成単位に関連するネットワーク上の情報源のアドレスを示すアドレス情報との対応を示すテーブルを参照して、前記データ処理装置で選択された上位構成単位に属する、それぞれの下位構成単位に対応するアドレス情報を取得する手段と、
その取得されたアドレス情報をディスプレイ上に表示する手段と、
その表示されたアドレス情報から選択されたアドレス情報によってネットワーク上の情報源にアクセスする手段と、
を備える情報処理装置。
【請求項１０】
請求項７〜９のいずれかの情報処理装置において、
前記データ処理装置から転送されるデータが、前記データ処理装置で受信または再生されたデータである情報処理装置。
【請求項１１】
請求項７〜９のいずれかの情報処理装置において、
前記データ処理装置から転送されるデータが、前記データ処理装置で受信または再生されたデータを、前記データ処理装置で解析して得られた識別コードである情報処理装置。
【請求項１２】
請求項７〜９のいずれかの情報処理装置において、
前記データ処理装置がデジタルラジオ受信機である情報処理装置。
【請求項１３】
構成単位を特定する識別コードが付加されたコンテンツデータを受信または再生する工程と、
その受信または再生したデータを解析して、選択された構成単位の識別コードを取得する工程と、
その取得した識別コードを転送する工程と、
を備えるデータ処理方法。
【請求項１４】
上位構成単位のもとに複数の下位構成単位が属し、それぞれの下位構成単位を特定する識別コードが付加されたコンテンツデータを受信または再生する工程と、
その受信または再生したデータを解析して、選択された下位構成単位の識別コードを取得する工程と、
その取得した識別コードを転送する工程と、
を備えるデータ処理方法。
【請求項１５】
上位構成単位のもとに複数の下位構成単位が属し、それぞれの下位構成単位を特定する識別コードが付加されたコンテンツデータを受信または再生する工程と、
その受信または再生したデータを解析して、選択された上位構成単位に属する、それぞれの下位構成単位の識別コードを取得する工程と、
その取得した識別コードを転送する工程と、
を備えるデータ処理方法。
【請求項１６】
構成単位を特定する識別コードが付加されたコンテンツデータを受信または再生する工程と、
その受信または再生したデータを解析して、選択された構成単位の識別コードを取得する工程と、
その取得した識別コードによって、構成単位の識別コードと当該構成単位に関連するネットワーク上の情報源のアドレスを示すアドレス情報との対応を示すテーブルを参照して、取得した識別コードに対応するアドレス情報を取得する工程と、
その取得したアドレス情報を転送する工程と、
を備えるデータ処理方法。
【請求項１７】
上位構成単位のもとに複数の下位構成単位が属し、それぞれの下位構成単位を特定する識別コードが付加されたコンテンツデータを受信または再生する工程と、
その受信または再生したデータを解析して、選択された下位構成単位の識別コードを取得する工程と、
その取得した識別コードによって、下位構成単位の識別コードと当該下位構成単位に関連するネットワーク上の情報源のアドレスを示すアドレス情報との対応を示すテーブルを参照して、取得した識別コードに対応するアドレス情報を取得する工程と、
その取得したアドレス情報を転送する工程と、
を備えるデータ処理方法。
【請求項１８】
上位構成単位のもとに複数の下位構成単位が属し、それぞれの下位構成単位を特定する識別コードが付加されたコンテンツデータを受信または再生する工程と、
その受信または再生したデータを解析して、選択された上位構成単位に属する、それぞれの下位構成単位の識別コードを取得する工程と、
その取得した識別コードによって、下位構成単位の識別コードと当該下位構成単位に関連するネットワーク上の情報源のアドレスを示すアドレス情報との対応を示すテーブルを参照して、取得した識別コードに対応するアドレス情報を取得する工程と、
その取得したアドレス情報を転送する工程と、
を備えるデータ処理方法。
【請求項１９】
構成単位を特定する識別コードが付加されたコンテンツデータを受信または再生する手段と、
その受信または再生されたデータを解析して、選択された構成単位の識別コードを取得する手段と、
その取得された識別コードを転送する手段と、
を備えるデータ処理装置。
【請求項２０】
上位構成単位のもとに複数の下位構成単位が属し、それぞれの下位構成単位を特定する識別コードが付加されたコンテンツデータを受信または再生する手段と、
その受信または再生されたデータを解析して、選択された下位構成単位の識別コードを取得する手段と、
その取得された識別コードを転送する手段と、
を備えるデータ処理装置。
【請求項２１】
上位構成単位のもとに複数の下位構成単位が属し、それぞれの下位構成単位を特定する識別コードが付加されたコンテンツデータを受信または再生する手段と、
その受信または再生されたデータを解析して、選択された上位構成単位に属する、それぞれの下位構成単位の識別コードを取得する手段と、
その取得された識別コードを転送する手段と、
を備えるデータ処理装置。
【請求項２２】
構成単位を特定する識別コードが付加されたコンテンツデータを受信または再生する手段と、
その受信または再生されたデータを解析して、選択された構成単位の識別コードを取得する手段と、
その取得された識別コードによって、構成単位の識別コードと当該構成単位に関連するネットワーク上の情報源のアドレスを示すアドレス情報との対応を示すテーブルを参照して、取得された識別コードに対応するアドレス情報を取得する手段と、
その取得されたアドレス情報を転送する手段と、
を備えるデータ処理装置。
【請求項２３】
上位構成単位のもとに複数の下位構成単位が属し、それぞれの下位構成単位を特定する識別コードが付加されたコンテンツデータを受信または再生する手段と、
その受信または再生されたデータを解析して、選択された下位構成単位の識別コードを取得する手段と、
その取得された識別コードによって、下位構成単位の識別コードと当該下位構成単位に関連するネットワーク上の情報源のアドレスを示すアドレス情報との対応を示すテーブルを参照して、取得された識別コードに対応するアドレス情報を取得する手段と、
その取得されたアドレス情報を転送する手段と、
を備えるデータ処理装置。
【請求項２４】
上位構成単位のもとに複数の下位構成単位が属し、それぞれの下位構成単位を特定する識別コードが付加されたコンテンツデータを受信または再生する手段と、
その受信または再生されたデータを解析して、選択された上位構成単位に属する、それぞれの下位構成単位の識別コードを取得する手段と、
その取得された識別コードによって、下位構成単位の識別コードと当該下位構成単位に関連するネットワーク上の情報源のアドレスを示すアドレス情報との対応を示すテーブルを参照して、取得された識別コードに対応するアドレス情報を取得する手段と、
その取得されたアドレス情報を転送する手段と、
を備えるデータ処理装置。
【請求項２５】
請求項１９〜２４のいずれかのデータ処理装置において、
当該データ処理装置がデジタルラジオ受信機であるデータ処理装置。
【発明の詳細な説明】
【０００１】
【発明の属する技術分野】
この発明は、デジタルラジオ受信機などのデータ処理装置でコンテンツデータを受信または再生する場合に、当該コンテンツに関連して設けられた、インターネット上のサイトなどの、ネットワーク上の情報源にアクセスする方法および装置、そのアクセス用のデジタルラジオ受信機などのデータ処理装置、および、そのデータ処理装置でのデータ処理方法に関する。
【０００２】
【従来の技術】
ヨーロッパの一部やカナダなどでは、デジタルラジオ放送として、Ｅｕｒｅｋａ１４７方式のＤＡＢ（Ｄｉｇｉｔａｌ　Ａｕｄｉｏ　Ｂｒｏａｄｃａｓｔｉｎｇ）が実施されている。
【０００３】
このＤＡＢでは、伝送方式として、ＣＯＦＤＭ（Ｃｏｄｅｄ　Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）が用いられ、情報が直交する多数のキャリアに分割され、周波数軸上で分散化されるとともに、時間軸上でのインタリーブが併用される。
【０００４】
キャリア数や伝送フレームの周期などは、伝送モードによって異なるが、モードＩでは、キャリア数が１５３６、フレーム周期が９６ｍ秒である。
【０００５】
それぞれの伝送フレームは、同期チャネル、ＦＩＣ（Ｆａｓｔ　Ｉｎｆｏｒｍａｔｉｏｎ　Ｃｈａｎｎｅｌ）、およびＭＳＣ（Ｍａｉｎ　Ｓｅｒｖｉｃｅ　Ｃｈａｎｎｅｌ）によって構成される。
【０００６】
ＦＩＣは、当該の伝送フレームによって伝送されるアンサンブル（周波数チャネル）におけるサービス構成やサービス内容などを示すものであり、ＭＳＣは、実際のオーディオサービスやデータサービスのデータである。
【０００７】
ＤＡＢでは、一つの周波数チャネル（帯域幅は１．５３６ＭＨｚ）のアンサンブルのもとに幾つかのサービスが提供され、各サービスのもとに一つまたは複数のサービスコンポーネントが提供される。
【０００８】
ＦＩＣには、サービス構成またはサービス内容として、当該アンサンブルに属する各サービスおよび各サービスコンポーネントのＩＤ（識別コード）や名称などが挿入される。
【０００９】
オーディオサービスのデータは、ＭＰＥＧ圧縮されて伝送される。オーディオサービスに対しては、ＭＳＣデータ中のダイナミックラベルとして、アーティスト名や曲名などの情報を付加することができる。
【００１０】
データサービスのデータは、静止画データ、天気図付きの天気予報、ＨＴＭＬ（Ｈｙｐｅｒ　Ｔｅｘｔ　Ｍａｒｋｕｐ　Ｌａｎｇｕａｇｅ）形式のデータなどである。
【００１１】
なお、ＭＳＣデータは、周波数インタリーブだけでなく、時間インタリーブが施されるが、ＦＩＣデータは、情報を高速で伝送するために、周波数インタリーブだけで、時間インタリーブは施されない。
【００１２】
ＤＡＢ受信機では、ユーザは、アンサンブルを選択し、そのアンサンブル内のサービスを選択し、そのサービス内で複数のサービスコンポーネントが提供されている場合には、さらにサービスコンポーネントを選択する。
【００１３】
このようなＤＡＢシステムのもとに、インターネット上で、ＤＡＢのサービスと同じサービスを、インターネットラジオとして提供し、または、インターネット上のサイトにホームページを設けて、ＤＡＢの番組表、ＤＡＢのサービスに関連するイベントやＣＤ（Ｃｏｍｐａｃｔ　Ｄｉｓｃ）などについての情報を提供することが行われている。
【００１４】
そのため、（１）ＤＡＢ受信機を、ＰＣ（Ｐｅｒｓｏｎａｌ　Ｃｏｍｐｕｔｅｒ）に接続できるように構成して、受信機で受信したデータを、そのままＰＣに送信し、ＰＣでは、そのアプリケーション（アプリケーションプログラム）によって、受信機から受信したデータから、サービス数やサービス名などのサービスに関する情報を取得して、ディスプレイ上に表示する方法、または（２）ＤＡＢでは、ＭＳＣデータ中のダイナミックラベルに、当該のサービスに関連するインターネット上のサイトのＵＲＬ（Ｕｎｉｆｏｒｍ　Ｒｅｓｏｕｒｃｅ　Ｌｏｃａｔｏｒ）を記述し、ユーザが当該のサービスを選択したとき、ＰＣでは、そのＵＲＬによってサイトにアクセスする方法、が考えられている。
【００１５】
【発明が解決しようとする課題】
しかしながら、上記（１）の方法では、ユーザは、表示されたサービス名などを見て、関連するサイトが存在するか否かを調べ、サイトが存在する場合には、そのＵＲＬを入力する、といった面倒なことを実行しなければならず、非常に不便である。
【００１６】
また、上記（２）の方法では、ユーザは、選択したサービスに関連するサイトにしかアクセスすることができず、例えば、あるサービスのオーディオを聴きながら、同じアンサンブルに属する別のサービスに関連するサイトにアクセスしてホームページを閲覧することはできない。
【００１７】
そこで、この発明は、第１に、コンテンツデータの選択された構成単位に関連するネットワーク上の情報源に、容易にアクセスすることができるようにしたものである。
【００１８】
この発明は、第２に、上位構成単位のもとに複数の下位構成単位が属する階層構造のコンテンツデータの、選択された上位構成単位に属する任意の下位構成単位に関連するネットワーク上の情報源に、アクセスすることができるようにしたものである。
【００１９】
【課題を解決するための手段】
第１の発明の情報処理方法は、
データ処理装置から転送されたデータに基づいて、コンテンツデータ構成単位を特定する識別コードと、当該構成単位に関連するネットワーク上の情報源のアドレスを示すアドレス情報との対応を示すテーブルを参照して、前記データ処理装置で選択された構成単位に対応するアドレス情報を取得する工程と、
その取得したアドレス情報によってネットワーク上の情報源にアクセスする工程と、
を備えるものとする。
【００２０】
第２の発明の情報処理方法は、
データ処理装置から転送されたデータに基づいて、上位構成単位のもとに複数の下位構成単位が属する階層構造のコンテンツデータにおける下位構成単位を特定する識別コードと、当該下位構成単位に関連するネットワーク上の情報源のアドレスを示すアドレス情報との対応を示すテーブルを参照して、前記データ処理装置で選択された上位構成単位に属する、それぞれの下位構成単位に対応するアドレス情報を取得する工程と、
その取得したアドレス情報をディスプレイ上に表示する工程と、
その表示したアドレス情報から選択されたアドレス情報によってネットワーク上の情報源にアクセスする工程と、
を備えるものとする。
【００２１】
上記の第１の発明の情報処理方法では、ユーザは、コンテンツデータの構成単位を選択するだけで、ほかに何もしなくても、選択した構成単位に関連するネットワーク上の情報源にアクセスして情報を取得することができる。
【００２２】
上記の第２の発明の情報処理方法では、ユーザは、ディスプレイ上に表示されたアドレス情報から任意のアドレス情報を選択することによって、選択した上位構成単位に属する任意の下位構成単位に関連するネットワーク上の情報源にアクセスして情報を取得することができる。
【００２３】
【発明の実施の形態】
以下に、この発明をＤＡＢシステムに適用した場合を例に挙げて、この発明の実施形態を示す。
【００２４】
〔ＤＡＢの概要：図１〜図３〕
図１（Ａ）に、ＤＡＢの伝送フレームを示す。
【００２５】
ＤＡＢの伝送フレームは、上述したように、同期チャネル、ＦＩＣ、およびＭＳＣによって構成される。同期チャネルは、ヌルシンボルおよびフェーズリファレンスシンボルによって構成される。
【００２６】
ＦＩＣとしては、Ｔｙｐｅ０からＴｙｐｅ６までが考えられているが、実際に用いられているのは、Ｔｙｐｅ０およびＴｙｐｅ１である。
【００２７】
図１（Ｂ）に示すように、ＦＩＣの“Ｔｙｐｅ０　ｆｉｅｌｄ　ｆｏｒ　ｅｘｔｅｎｓｉｏｎ２”では、先頭に、サービスＩＤが配置され、その後に、サービスコンポーネント数を示すデータや、サービスコンポーネントについて記述したデータなどが配置される。
【００２８】
サービスＩＤとしては、１６ビット構成のものと３２ビット構成のものがあるが、実際に多く用いられるのは、１６ビット構成のものである。１６ビット構成のサービスＩＤは、図示するように、４ビットのカントリーＩＤに、サービスＩＤの中身である１２ビットのサービスリファレンスが付加される。
【００２９】
図１（Ｃ）に示すように、ＦＩＣの“Ｔｙｐｅ０　ｆｉｅｌｄ　ｆｏｒ　ｅｘｔｅｎｓｉｏｎ３”では、先頭に、１２ビットのサービスコンポーネントＩＤが配置され、その後に、データサービスコンポーネントの有無を示すフラグや、データサービスコンポーネントのタイプを示すデータなどが配置される。
【００３０】
図では省略したが、Ｔｙｐｅ１のＦＩＣには、サービス名やサービスコンポーネント名などが配置される。
【００３１】
一つのアンサンブルについてのＦＩＣデータは、その内容が数秒分の伝送フレームで完結するように伝送される。
【００３２】
ＭＳＣには、同一のアンサンブルに属する各サービスおよび各サービスコンポーネントの実際のデータが配置される。
【００３３】
２００２年１月２４日現在、イギリス（Ｇｒｅａｔｅｒ　Ｌｏｎｄｏｎ　Ａｒｅａ）で受信可能なアンサンブルおよびサービスは、図２および図３に示すとおりである。
【００３４】
チャネル１１Ｄ，１２Ａ，１２Ｂおよび１２Ｃは、受信可能な４つのアンサンブルを示し、ｅ＿ｉｄは、各アンサンブルのアンサンブルＩＤを１６進の符号として示したものである。各アンサンブルのもとでは、それぞれ便宜的に番号を付した各サービスを受信することができ、ｓ＿ｉｄは、各サービスの図１（Ｂ）に示した１６ビット構成のサービスＩＤを１６進の符号として示したものであり、最上位がカントリーＩＤ、以下の３桁がサービスＩＤの中身のサービスリファレンスである。
【００３５】
各サービスのもとでは、それぞれ一つのサービスコンポーネントしか提供されていないので、サービスＩＤは、同時にサービスコンポーネントＩＤである。
【００３６】
チャネル１１Ｄ中の“ｔａｌｋＳＰＯＲＴ”や、チャネル１２Ａ中の“ＴｈｅＬｏｕｎｇｅ”などは、それぞれのサービス名（サービスコンポーネント名）である。
【００３７】
ただし、これらイギリスで受信可能なサービスのサービスＩＤが他の国や地域では用いられない（他の国や地域では異なるサービスＩＤが用いられる）という保証はない。しかし、このような場合には、アンサンブルＩＤとサービスＩＤとを組み合わせることによって、サービスを特定することができる。
【００３８】
〔システムの実施形態：図４〜図６〕
図４は、ＤＡＢ受信機の一実施形態を示す。
【００３９】
この実施形態の受信機１０では、アンテナ１１で、ＤＡＢの放送信号が受信され、フロントエンド１２で、その受信信号がダウンコンバートされて中間周波信号に変換され、Ａ／Ｄコンバータ１３で、その中間周波信号がデジタル信号に変換され、そのデジタル信号が、直交復調回路１４で、同相成分（ｉｎｐｈａｓｅ）と直交成分（ｑｕａｄｒａｔｕｒｅ）に分解され、ＦＦＴ（Ｆａｓｔ　Ｆｏｕｒｉｅｒ　Ｔｒａｎｓｆｏｒｍ）復調回路１５で、周波数領域のデータに復調される。
【００４０】
復調されたデータ中の、図１（Ａ）に示した同期チャネルのフェーズリファレンスシンボル部分のデータは、ＤＳＰ（Ｄｉｇｉｔａｌ　Ｓｉｇｎａｌ　Ｐｒｏｃｅｓｓｏｒ）１６に送られて、ＤＳＰ１６から同期制御信号が得られ、その同期制御信号が、Ｄ／Ａコンバータ２６でアナログ信号に変換されて、フロントエンド１２およびＡ／Ｄコンバータ１３に送られる。
【００４１】
復調されたデータ中の、ＦＩＣデータおよびＭＳＣデータは、バッファ用のＲＡＭ１７を備えるデインタリーブ処理回路１８で、差動復調された後、周波数デインタリーブ処理される。
【００４２】
さらに、そのうちのＭＳＣデータは、デインタリーブ処理回路１８で時間デインタリーブ処理された後、ビタビ復号回路１９でビタビ復号され、時間インタリーブ処理されていないＦＩＣデータは、そのまま、ビタビ復号回路１９でビタビ復号される。
【００４３】
ビタビ復号後のＭＳＣデータ中の、ＭＰＥＧ圧縮されたオーディオデータは、ＭＰＥＧデコーダ２１でＭＰＥＧ復号された後、Ｄ／Ａコンバータ２２でアナログ音声信号に変換され、そのアナログ音声信号が、音声増幅回路２３で増幅されてスピーカ２４に供給される。
【００４４】
また、ビタビ復号後のＦＩＣデータおよびＭＳＣデータが、フォーマット変換回路４１で、光出力用にフォーマット変換される。このフォーマット変換後の受信データは、ＩＥＣ９５８インタフェース４２によって、受信機１０の外部に出力することができる。
【００４５】
また、フォーマット変換回路４１の出力データが、ＦＰＧＡ（Ｆｉｅｌｄ　Ｐｒｏｇｒａｍｍａｂｌｅ　Ｇａｔｅ　Ａｒｒａｙ）回路４３で、ＰＣへの転送用に処理された後、受信機１０で受信された全データとして、ＵＳＢ（Ｕｎｉｖｅｒｓａｌ　Ｓｅｒｉａｌ　Ｂｕｓ）インタフェース４４によって、ＰＣに転送される。
【００４６】
制御部３１は、図では省略したが、ＣＰＵ、このＣＰＵが実行すべき後述の転送処理ルーチンを含むプログラムや各種の固定データが書き込まれたＲＯＭ、およびＣＰＵのワークエリアなどとして機能するＲＡＭなどを有するものとして構成され、受信機１０の操作部３３が、入力インタフェース３４を介して制御部３１に接続され、受信機１０の表示部３５が、表示制御部３６を介して制御部３１に接続される。
【００４７】
ユーザは、表示部３５にアンサンブルのリストを表示させて、操作部３３での操作によりアンサンブルを選択し、さらに、その選択したアンサンブルに属するサービスのリストを表示部３５に表示させて、操作部３３での操作によりサービスを選択することができる。
【００４８】
ビタビ復号されたＦＩＣデータは、制御部３１に送られ、制御部３１で、ＦＩＣデータが解析されることによって、後述のように、ユーザが選択したアンサンブルに属するサービスのサービスＩＤが獲得される。
【００４９】
上述したように一つのサービスのもとで一つのサービスコンポーネントしか提供されない場合には、サービスＩＤが獲得されればよく、以下の実施形態としては、その場合を示す。
【００５０】
制御部３１で得られたサービスＩＤは、受信データを解析した結果のデータとして、ＲＳ２３２Ｃインタフェース４６またはＵＳＢインタフェース４４によって、ＰＣに転送される。
【００５１】
具体的に、以下の実施形態としては、受信データ（受信機１０で受信された全データ、すなわちＦＩＣデータおよびＭＳＣデータ）は、ＵＳＢインタフェース４４によって、解析データ（解析の結果、獲得されたサービスＩＤ）は、ＲＳ２３２Ｃインタフェース４６によって、それぞれＰＣに転送される場合を示す。
【００５２】
ただし、これは、受信データを転送する場合と解析データを転送する場合を同時に示したものであって、実際上は、後述のＰＣのＤＡＢ対応アプリケーションとの関係から、適切なインタフェースによって、受信データと解析データのいずれか一方をＰＣに転送する構成とすればよい。
【００５３】
なお、受信機１０にメモリカード３９が装着されるスロットを設けて、受信データまたは解析データをメモリカード３９に記録し、そのメモリカード３９をＰＣに装着することによって、受信データまたは解析データをＰＣに転送するように、システムを構成することもできる。
【００５４】
図５は、上述した受信機１０と共にＤＡＢシステムを構成するＰＣの一実施形態を示す。
【００５５】
この実施形態のＰＣ１００は、ＣＰＵ１０１を備え、そのバス１０２に、メインメモリ１０３が接続され、ハードディスクインタフェース１０４を介してハードディスク記憶装置１０５が接続され、モデム１０７および回線インタフェース１０８を介して電話回線１０９が接続される。
【００５６】
また、キーボードやマウスなどの操作部１１１が、入力インタフェース１１２を介してバス１０２に接続され、バス１０２に、表示制御部１１３を介してディスプレイ１１４が接続され、Ｄ／Ａコンバータ１１５および音声増幅回路１１６を介してスピーカ１１７が接続される。
【００５７】
さらに、バス１０２には、受信機１０で受信された全データを受信機１０から受信するためのＵＳＢインタフェース１１８、または受信機１０での解析結果のデータを受信機１０から受信するためのＲＳ２３２Ｃインタフェース１１９が接続される。
【００５８】
ハードディスク記憶装置１０５には、あらかじめ、ＤＡＢ対応アプリケーションがロードされる。そのＤＡＢ対応アプリケーションは、図６に示すような、ＤＡＢのサービスのサービスＩＤと、そのサービスに関連するインターネット上のサイトのＵＲＬとの対応を示すテーブルを備えるものとする。
【００５９】
具体的に、図２に示したチャネル１２Ａ中の“ＭｉｎｉｓｔｒｙＯｆＳｏｕｎｄ”というサービス名のサービスに関連するサイトのＵＲＬは、図６のサービスＩＤが“Ｃ１Ｃ２”の欄に示すものである。
【００６０】
ＰＣ１００のＤＡＢ対応アプリケーションは、ユーザがＰＣ１００で立ち上げ操作をすることによって立ち上がり、または受信機１０がＰＣ１００に接続された状態でユーザが受信機１０を起動させることによって自動的に立ち上がるように、システムが構成される。
【００６１】
なお、以下の実施形態では、このＤＡＢ対応アプリケーションが、一例としてＷＷＷ（Ｗｏｒｌｄ　Ｗｉｄｅ　Ｗｅｂ）ブラウザであるとする。
【００６２】
〔受信機側の転送処理およびＰＣ側の対応処理の実施形態：図７〜図１２〕
（ＰＣ側でデータを解析する場合：図７〜図９）
受信機１０では、受信した全データ（ＦＩＣデータおよびＭＳＣデータ）をＰＣ１００に転送し、ＰＣ１００で、その転送されたデータを解析してサービスＩＤを獲得する場合の、受信機側の転送処理およびＰＣ側の対応処理の例を、以下に示す。
【００６３】
＜受信機側の転送処理：図７＞
図７は、この場合の受信機側の転送処理の例を示す。
【００６４】
この転送処理ルーチン５０では、受信機１０の制御部３１（ＣＰＵ）は、選択されたアンサンブルの伝送フレームごとに、まずステップ５１で、受信データ（ＦＩＣデータおよびＭＳＣデータ）を取得し、次にステップ５２に進んで、その取得したデータをＰＣ１００に転送し、次にステップ５３に進んで、転送を終了したか否かを判断し、転送を終了していなければ、ステップ５３からステップ５２に戻って、取得したデータをＰＣ１００に転送し、転送を終了したときには、ステップ５３からステップ５１に戻って、次の伝送フレームの受信データを取得する。
【００６５】
この場合、ＰＣ側の対応処理を以下の第１の例のように構成する場合には、ＰＣ側において受信機側で選択されたサービスを特定できるように、ステップ５２でデータをＰＣ１００に転送する際、選択されたサービスのサービスＩＤに対して、これが選択されたサービスのサービスＩＤであることを示すフラグを付加する。
【００６６】
＜ＰＣ側の対応処理の第１の例：図８＞
図８は、ＰＣ側の対応処理の第１の例を示し、選択されたサービスに対応するＵＲＬによって、選択されたサービスに関連するインターネット上のサイトに直接、アクセスする場合である。
【００６７】
この例の対応処理ルーチン１２０では、ＰＣ１００のＣＰＵ１０１は、まずステップ１２１で、受信機１０からデータを取得し、次にステップ１２２に進んで、解析に必要なデータを取得したか否かを判断し、解析に必要なデータを取得していなければ、ステップ１２１に戻って、さらにデータを取得する。
【００６８】
解析に必要なデータを取得したときには、ステップ１２２からステップ１２３に進んで、取得したデータを解析し、さらにステップ１２４に進んで、その解析結果から、取得したデータがＦＩＣデータであるか否かを判断し、ＦＩＣデータではなく、ＭＳＣデータであるときには、ルーチン１４４に進んで、選択されたサービスについてのＭＳＣ再生処理を実行する。
【００６９】
取得したデータがＦＩＣデータであるときには、ステップ１２４からステップ１２５に進んで、取得したデータがサービスＩＤであるか否かを判断し、サービスＩＤではないときには、ルーチン１４５に進んで、他の処理を実行する。
【００７０】
取得したデータがサービスＩＤであるときには、ステップ１２５からステップ１２６に進んで、上記のフラグの有無または値から、そのサービスＩＤが選択されたサービスのサービスＩＤであるか否かを判断し、選択されたサービスのサービスＩＤではないときには、ルーチン１４６に進んで、他の処理を実行する。
【００７１】
取得したサービスＩＤが選択されたサービスのサービスＩＤであるときには、ステップ１２６からステップ１２７に進んで、選択されたアンサンブルについての、図６に示したようなサービスＩＤとＵＲＬの対応テーブルを読み込み、さらにステップ１２８に進んで、選択されたサービスのサービスＩＤに対応するＵＲＬが存在するか否かを判断する。
【００７２】
そして、選択されたサービスのサービスＩＤに対応するＵＲＬが存在するときには、ステップ１２８からステップ１２９に進んで、そのＵＲＬをブラウザに転送し、ブラウザによって、インターネット上の対応するサイトにアクセスする。
【００７３】
これによって、ユーザは、サービス名などから、関連するサイトが存在するか否かを調べ、サイトが存在する場合には、そのＵＲＬを入力する、といった面倒なことを実行することなく、ＤＡＢのサービスを選択するだけで、その選択したサービスに関連するインターネット上のサイトにアクセスして、ホームページを閲覧し、情報を取得することができる。
【００７４】
選択されたサービスのサービスＩＤに対応するＵＲＬが存在しないときには、ステップ１２８からステップ１２１に戻る。
【００７５】
ただし、この場合、受信機のメーカーなどが別にサイトを設け、選択されたサービスのサービスＩＤに対応するＵＲＬが存在しないときには、その別に設けられたサイトにアクセスすることができるように、システムを構成することもできる。あるいは、図６のテーブルを拡張して、代替ＵＲＬを設け、選択されたサービスのサービスＩＤに対応するＵＲＬが存在しないときには、そのサービスＩＤに対応づけられた代替ＵＲＬをブラウザに転送するように構成してもよい。
【００７６】
＜ＰＣ側の対応処理の第２の例：図９＞
図９は、ＰＣ側の対応処理の第２の例を示し、選択されたアンサンブルに属する任意のサービスに関連するインターネット上のサイトにアクセスすることができる場合である。
【００７７】
この例の対応処理ルーチン１３０は、ステップ１３１からステップ１３５までは、図８の例の対応処理ルーチン１２０のステップ１２１からステップ１２５までと同じである。
【００７８】
そして、この例の対応処理ルーチン１３０では、ステップ１３５で、取得したデータがサービスＩＤであると判断したときには、ステップ１３６に進んで、選択されたアンサンブルに属するサービスのサービスＩＤを集積し、次にステップ１３７に進んで、選択されたアンサンブルについての、図６に示したようなサービスＩＤとＵＲＬの対応テーブルを読み込み、さらにステップ１３８に進んで、選択されたアンサンブルにつき、対応テーブル中にＵＲＬが存在するサービスのサービス名とＵＲＬとの対応を、ディスプレイ１１４上に表示する。
【００７９】
ユーザは、表示されたサービス名を見て、操作部１１１での操作によって、選択したアンサンブルに属する任意のサービスに対応するＵＲＬを選択することができる。
【００８０】
対応処理ルーチン１３０では、次にステップ１３９に進んで、いずれかのＵＲＬが選択されたか否かを判断し、いずれかのＵＲＬが選択されたときには、ステップ１４１に進んで、その選択されたＵＲＬをブラウザに転送し、ブラウザによって、インターネット上の対応するサイトにアクセスする。
【００８１】
これによって、ユーザは、選択したアンサンブルに属する、対応するＵＲＬが存在する任意のサービスに関連するインターネット上のサイトにアクセスすることができ、例えば、あるサービスのオーディオを聴きながら、同じアンサンブルに属する別のサービスに関連するサイトにアクセスしてホームページを閲覧することができる。
【００８２】
（受信機側でデータを解析する場合：図１０〜図１２）
受信機１０で、受信データを解析してサービスＩＤを獲得し、ＰＣ１００に転送する場合の、受信機側の転送処理およびＰＣ側の対応処理の例を、以下に示す。
【００８３】
＜受信機側の転送処理：図１０＞
図１０は、この場合の受信機側の転送処理の例を示す。
【００８４】
この転送処理ルーチン６０では、受信機１０の制御部３１（ＣＰＵ）は、まずステップ６１で、選択されたアンサンブルの受信データを取得し、次にステップ６２に進んで、受信データ中のＦＩＣデータを解析し、さらにステップ６３に進んで、その解析結果によって、選択されたアンサンブルに属するサービスのサービスＩＤを集積し、さらにステップ６４に進んで、選択されたアンサンブルのアンサンブルＩＤおよびステップ６３で集積したサービスＩＤをＰＣ１００に転送する。
【００８５】
次に、ステップ６５に進んで、転送を終了したか否かを判断し、転送を終了していなければ、ステップ６５からステップ６４に戻って、集積したサービスＩＤをＰＣ１００に転送し、転送を終了したときには、ステップ６５からステップ６１に戻って、受信データを取得する。
【００８６】
ステップ６１に戻って受信データを取得するのは、放送内容が変化した場合に備えるとともに、全ての情報を受信し解析したかを確認するためである。放送内容については、同じアンサンブル内においても、サービスの内容が変わり、それに伴ってサービスＩＤおよびサービス名などが変わる場合がある。
【００８７】
具体的に、ステップ６３および６４でのサービスＩＤの集積および転送については、（１）ＦＩＣデータの内容が完結する数秒というような一定時間ごとに、選択されたアンサンブルに属するサービスのサービスＩＤを集積し、ＰＣ１００に転送する、（２）ステップ６２でのＦＩＣデータの解析の結果、獲得したサービスＩＤが、すでに獲得し、転送したサービスＩＤであるか、新規なサービスＩＤであるかを判断して、新規なサービスＩＤのみを集積し、ＰＣ１００に転送する、などの方法を用いる。
【００８８】
ただし、ＰＣ側の対応処理を以下の第１の例のように構成する場合には、ＰＣ側において受信機側で選択されたサービスを特定できるように、ステップ６３でサービスＩＤを集積する際、またはステップ６４でサービスＩＤをＰＣ１００に転送する際、選択されたサービスのサービスＩＤに対して、これが選択されたサービスのサービスＩＤであることを示すフラグを付加する。
【００８９】
また、ＰＣ側の対応処理を以下の第２の例のように構成する場合には、ＰＣ側での利用に供するために、ステップ６３では、サービスＩＤだけでなくサービス名を、サービスＩＤに対応づけて集積し、ステップ６４では、そのサービス名もＰＣ１００に転送する。
【００９０】
＜ＰＣ側の対応処理の第１の例：図１１＞
図１１は、ＰＣ側の対応処理の第１の例を示し、選択されたサービスに対応するＵＲＬによって、選択されたサービスに関連するインターネット上のサイトに直接、アクセスする場合である。
【００９１】
この例の対応処理ルーチン１５０では、ＰＣ１００のＣＰＵ１０１は、まずステップ１５１で、受信機１０から転送されたアンサンブルＩＤおよびサービスＩＤを受信して整理し、次にステップ１５２に進んで、上記のフラグの有無または値から、受信機１０で選択されたサービスのサービスＩＤを特定する。
【００９２】
次に、ステップ１５３に進んで、選択されたアンサンブルについての、図６に示したようなサービスＩＤとＵＲＬの対応テーブルを読み込み、さらにステップ１５４に進んで、ステップ１５２で特定したサービスＩＤ、すなわち選択されたサービスのサービスＩＤに対応するＵＲＬが存在するか否かを判断する。
【００９３】
そして、選択されたサービスのサービスＩＤに対応するＵＲＬが存在するときには、ステップ１５４からステップ１５５に進んで、そのＵＲＬをブラウザに転送し、ブラウザによって、インターネット上の対応するサイトにアクセスする。
【００９４】
これによって、ユーザは、サービス名などから、関連するサイトが存在するか否かを調べ、サイトが存在する場合には、そのＵＲＬを入力する、といった面倒なことを実行することなく、ＤＡＢのサービスを選択するだけで、その選択したサービスに関連するインターネット上のサイトにアクセスして、ホームページを閲覧し、情報を取得することができる。
【００９５】
選択されたサービスのサービスＩＤに対応するＵＲＬが存在しないときには、対応処理を終了する。
【００９６】
ただし、この場合、受信機のメーカーなどが別にサイトを設け、選択されたサービスのサービスＩＤに対応するＵＲＬが存在しないときには、その別に設けられたサイトにアクセスすることができるように、システムを構成することもできる。あるいは、図６のテーブルを拡張して、代替ＵＲＬを設け、選択されたサービスのサービスＩＤに対応するＵＲＬが存在しないときには、そのサービスＩＤに対応づけられた代替ＵＲＬをブラウザに転送するように構成してもよい。
【００９７】
＜ＰＣ側の対応処理の第２の例：図１２＞
図１２は、ＰＣ側の対応処理の第２の例を示し、選択されたアンサンブルに属する任意のサービスに関連するインターネット上のサイトにアクセスすることができる場合である。
【００９８】
この例の対応処理ルーチン１６０では、ＰＣ１００のＣＰＵ１０１は、まずステップ１６１で、受信機１０から転送されたアンサンブルＩＤ、サービスＩＤおよびサービス名を受信して整理し、次にステップ１６２に進んで、選択されたアンサンブルについての、図６に示したようなサービスＩＤとＵＲＬの対応テーブルを読み込み、さらにステップ１６３に進んで、選択されたアンサンブルにつき、対応テーブル中にＵＲＬが存在するサービスのサービス名とＵＲＬとの対応を、ディスプレイ１１４上に表示する。
【００９９】
ユーザは、表示されたサービス名を見て、操作部１１１での操作によって、選択したアンサンブルに属する任意のサービスに対応するＵＲＬを選択することができる。
【０１００】
対応処理ルーチン１６０では、次にステップ１６４に進んで、いずれかのＵＲＬが選択されたか否かを判断し、いずれかのＵＲＬが選択されたときには、ステップ１６５に進んで、その選択されたＵＲＬをブラウザに転送し、ブラウザによって、インターネット上の対応するサイトにアクセスする。
【０１０１】
これによって、ユーザは、選択したアンサンブルに属する、対応するＵＲＬが存在する任意のサービスに関連するインターネット上のサイトにアクセスすることができ、例えば、あるサービスのオーディオを聴きながら、同じアンサンブルに属する別のサービスに関連するサイトにアクセスしてホームページを閲覧することができる。
【０１０２】
〔他の実施形態〕
上述した実施形態は、ＰＣのＤＡＢ対応アプリケーションとして、サービスＩＤとＵＲＬの対応テーブルを備える場合であるが、受信機のアプリケーションとして、サービスＩＤとＵＲＬの対応テーブルを備え、受信機側において、選択されたサービスに関連するサイトのＵＲＬ、または選択されたアンサンブルに属する任意のサービスに関連するサイトのＵＲＬが得られて、ＰＣに転送される構成とすることもできる。
【０１０３】
また、上述した実施形態は、この発明をＥｕｒｅｋａ１４７方式のＤＡＢを受信するシステムに適用した場合であるが、この発明は、その他の方式のデジタルラジオ放送を受信するシステムに適用することもできる。
【０１０４】
さらに、この発明は、デジタルラジオ放送などのデジタル放送を受信するシステムに限らず、オーディオデータやビデオデータなどのコンテンツデータが、その構成単位を特定するＩＤが付加されて記録されているディスクなどの記録媒体から、コンテンツデータを再生するシステムにも適用することができる。
【０１０５】
【発明の効果】
上述したように、この発明によれば、コンテンツデータの選択された構成単位に関連するネットワーク上の情報源に、容易にアクセスすることができる。
【０１０６】
また、この発明によれば、上位構成単位のもとに複数の下位構成単位が属する階層構造のコンテンツデータの、選択された上位構成単位に属する任意の下位構成単位に関連するネットワーク上の情報源に、アクセスすることができる。
【図面の簡単な説明】
【図１】ＤＡＢの伝送フレームおよびＦＩＣデータの一例を示す図である。
【図２】ＤＡＢのアンサンブルおよびサービスの具体例を示す図である。
【図３】ＤＡＢのアンサンブルおよびサービスの具体例を示す図である。
【図４】ＤＡＢ受信機の一実施形態を示す図である。
【図５】情報処理装置としてのＰＣの一実施形態を示す図である。
【図６】サービスＩＤとＵＲＬの対応テーブルの具体例を示す図である。
【図７】ＰＣ側でデータを解析する場合における受信機側の転送処理の例を示す図である。
【図８】ＰＣ側でデータを解析する場合におけるＰＣ側の対応処理の第１の例を示す図である。
【図９】ＰＣ側でデータを解析する場合におけるＰＣ側の対応処理の第２の例を示す図である。
【図１０】受信機側でデータを解析する場合における受信機側の転送処理の例を示す図である。
【図１１】受信機側でデータを解析する場合におけるＰＣ側の対応処理の第１の例を示す図である。
【図１２】受信機側でデータを解析する場合におけるＰＣ側の対応処理の第２の例を示す図である。
【符号の説明】
主要部については図中に全て記述したので、ここでは省略する。
【図１】
2004048389.tif 000003
【図２】
2004048389.tif 000004
【図３】
2004048389.tif 000005
【図４】
2004048389.tif 000006
【図５】
2004048389.tif 000007
【図６】
2004048389.tif 000008
【図７】
2004048389.tif 000009
【図８】
2004048389.tif 000010
【図９】
2004048389.tif 000011
【図１０】
2004048389.tif 000012
【図１１】
2004048389.tif 000013
【図１２】
2004048389.tif 000014